【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
撮像手段と、
この撮像手段が有する撮像領域のうち、部分的な領域を撮像するよう制御する第１の撮像制御手段と、
前記部分的な領域よりも広い領域の画像を撮像するよう制御する第２の撮像制御手段と、
前記第２の撮像制御手段によって撮像された一枚の画像から、所定範囲の輝度値を有する画素領域を特定する特定手段と、
この特定手段によって前記画素領域が特定された後、この画素領域を前記部分的な領域として設定する設定手段と、
前記第１の撮像制御手段を制御して前記設定手段によって設定された画素領域を時間的に連続して撮像させ、この撮像された画素領域の輝度変化からビットデータからなる情報に復元する復元手段と、
を備えたことを特徴とする情報復元装置。
【請求項２】
前記特定手段は、更に特定の色を有する画素領域を特定することを特徴とする請求項１に記載の情報復元装置。
【請求項３】
前記特定手段は、特定の形状を有するか否かに基づいて画像領域を特定することを特徴とする請求項１又は２に記載の情報復元装置。
【請求項４】
前記特定手段は前記画素領域を複数特定するとともに、これら特定された画素領域を登録する登録手段と、
前記復元手段は、前記登録手段によって登録された複数の画素領域のうちの一つに対応する画素領域からビットデータに復元することを特徴とする請求項１乃至３の何れかに記載の情報復元装置。
【請求項５】
前記復元手段によってビットデータが復元されたか否かを判断する判断手段と、
この判断手段によりビットデータが復元されなかったとき、前記登録手段によって登録され、且つ、まだ復元していない画素領域からビットデータを復元するよう前記復元手段を制御する復元制御手段と、
を更に備えることを特徴とする請求項４に記載の情報復元装置。
【請求項６】
撮像部が有する撮像領域のうち、部分的な領域を撮像するよう制御する第１の撮像制御ステップと、
前記部分的な領域よりも広い領域の画像を撮像するよう制御する第２の撮像制御ステップと、
前記第２の撮像制御ステップにて撮像された一枚の画像から、所定範囲の輝度値を有する画素領域を特定する特定ステップと、
この特定ステップにて前記画素領域が特定された後、この画素領域を前記部分的な領域として設定する設定ステップと、
この設定ステップにて設定された画素領域を前記第１の撮像制御ステップにて時間的に連続して撮像させ、この撮像された画素領域の輝度変化からビットデータからなる情報に復元する復元ステップと、
からなることを特徴とする情報復元方法。
【請求項７】
撮像部を有する電子機器が備えるコンピュータを、
前記撮像部が有する撮像領域のうち、部分的な領域を撮像するよう制御する第１の撮像制御手段、
前記部分的な領域よりも広い領域の画像を撮像するよう制御する第２の撮像制御手段、
前記第２の撮像制御手段によって撮像された一枚の画像から、所定範囲の輝度値を有する画素領域を特定する特定手段、
この特定手段によって前記画素領域が特定された後、この画素領域を前記部分的な領域として設定する設定手段、
前記第１の撮像制御手段を制御して前記設定手段によって設定された画素領域を時間的に連続して撮像させ、この撮像された画素領域の輝度変化からビットデータからなる情報に復元する復元手段、
として機能させることを特徴とするプログラム。
【手続補正２】
【補正対象書類名】明細書
【補正対象項目名】発明の名称
【補正方法】変更
【補正の内容】
【発明の名称】情報復元装置、情報復元方法、及び、プログラム
【手続補正３】
【補正対象書類名】明細書
【補正対象項目名】０００１
【補正方法】変更
【補正の内容】
【０００１】
本発明は、情報復元装置、情報復元方法、及び、プログラムに関し、詳細には、二次元イメージセンサを用いて光を通信媒体とした情報を復元する情報復元装置、情報復元方法、及び、プログラムに関する。
【手続補正４】
【補正対象書類名】明細書
【補正対象項目名】０００６
【補正方法】変更
【補正の内容】
【０００６】
請求項１記載の発明は、撮像手段と、この撮像手段が有する撮像領域のうち、部分的な領域を撮像するよう制御する第１の撮像制御手段と、前記部分的な領域よりも広い領域の画像を撮像するよう制御する第２の撮像制御手段と、前記第２の撮像制御手段によって撮像された一枚の画像から、所定範囲の輝度値を有する画素領域を特定する特定手段と、この特定手段によって前記画素領域が特定された後、この画素領域を前記部分的な領域として設定する設定手段と、前記第１の撮像制御手段を制御して前記設定手段によって設定された画素領域を時間的に連続して撮像させ、この撮像された画素領域の輝度変化からビットデータからなる情報に復元する復元手段と、を備えたことを特徴とする情報復元装置である。
請求項２記載の発明は、前記特定手段は、更に特定の色を有する画素領域を特定することを特徴とする請求項１に記載の情報復元装置である。
請求項３記載の発明は、前記特定手段は、特定の形状を有するか否かに基づいて画像領域を特定することを特徴とする請求項１又は２に記載の情報復元装置である。
請求項４記載の発明は、前記特定手段は前記画素領域を複数特定するとともに、これら特定された画素領域を登録する登録手段と、前記復元手段は、前記登録手段によって登録された複数の画素領域のうちの一つに対応する画素領域からビットデータに復元することを特徴とする請求項１乃至３の何れかに記載の情報復元装置である。
請求項５記載の発明は、前記復元手段によってビットデータが復元されたか否かを判断する判断手段と、この判断手段によりビットデータが復元されなかったとき、前記登録手段によって登録され、且つ、まだ復元していない画素領域からビットデータを復元するよう前記復元手段を制御する復元制御手段と、を更に備えることを特徴とする請求項４に記載の情報復元装置である。
請求項６記載の発明は、撮像部が有する撮像領域のうち、部分的な領域を撮像するよう制御する第１の撮像制御ステップと、前記部分的な領域よりも広い領域の画像を撮像するよう制御する第２の撮像制御ステップと、前記第２の撮像制御ステップにて撮像された一枚の画像から、所定範囲の輝度値を有する画素領域を特定する特定ステップと、この特定ステップにて前記画素領域が特定された後、この画素領域を前記部分的な領域として設定する設定ステップと、この設定ステップにて設定された画素領域を前記第１の撮像制御ステップにて時間的に連続して撮像させ、この撮像された画素領域の輝度変化からビットデータからなる情報に復元する復元ステップと、からなることを特徴とする情報復元方法である。
請求項７記載の発明は、撮像部を有する電子機器が備えるコンピュータを、前記撮像部が有する撮像領域のうち、部分的な領域を撮像するよう制御する第１の撮像制御手段、前記部分的な領域よりも広い領域の画像を撮像するよう制御する第２の撮像制御手段、前記第２の撮像制御手段によって撮像された一枚の画像から、所定範囲の輝度値を有する画素領域を特定する特定手段、この特定手段によって前記画素領域が特定された後、この画素領域を前記部分的な領域として設定する設定手段、前記第１の撮像制御手段を制御して前記設定手段によって設定された画素領域を時間的に連続して撮像させ、この撮像された画素領域の輝度変化からビットデータからなる情報に復元する復元手段、として機能させることを特徴とするプログラムである。